(57)【要約】【課題】電気・通信線などを本管の１箇所の分岐部から複数の方向に分岐できるようにする。【解決手段】本管１０の分岐管路を設ける部分の外周面に沿う形状に成形されたサドル部２と、このサドル部２に設けられた複数の分岐口２ａ、２ｂと、その各分岐口２ａ、２ｂにそれぞれ連通した状態でサドル部２に一体的に設けられた複数本の分岐管部３，４を備え、それら複数本の分岐管部のうち、２本の分岐管部３，４をサドル２の横方向（略水平方向）でかつ互いに異なる向きに延びる構造とする。【選択図】図５
2004036641.tif 000002
【特許請求の範囲】
【請求項１】
電気・通信線配管などの管路を構成する本管に取り付けられる分岐用継手であって、本管の分岐管路を設ける部分の外周面に沿う形状に成形されたサドル部と、このサドル部に設けられた複数の分岐口と、その各分岐口にそれぞれ連通した状態で前記サドル部に一体的に設けられた複数本の分岐管部を備え、それら複数本の分岐管部のうち、２本の分岐管部が前記サドルの横方向にかつ互いに異なる向きに延びていることを特徴とする管路分岐用継手。
【請求項２】
前記各分岐口が前記サドルの頂部よりも下方位置に設けられているとともに、前記サドルを本管に取り付けた状態で、各分岐管部がそれぞれ略水平方向に沿うように構成されていることを特徴とする請求項１記載の管路分岐用継手。
【請求項３】
電気・通信線配管等の管路を構成する本管に取り付けられる分岐用継手であって、本管の分岐管路を設ける部分の外面に沿う形状に成形されたサドル部と、このサドル部に設けられた１つの分岐口と、その分岐口に連通した状態で前記サドル部に一体的に設けられた立上り管部と、この立上り管部から複数の方向に分岐する複数の分岐管部を備え、それら複数本の分岐管部のうち、２本の分岐管部が前記サドルの横方向にかつ互いに異なる向きに延びていることを特徴とする管路分岐用継手。
【発明の詳細な説明】
【０００１】
【発明の属する技術分野】
本発明は、電気・通信線配管などの本管から分岐管を分岐させるのに用いられる管路分岐用継手に関する。
【０００２】
【従来の技術】
従来、電気・通信線等を収容する本管から分岐管を分岐する際に用いられる管路分岐用継手としては、例えば図９に示すように、本管１０に取り付けられるサドル部１０２と、本管１０の管軸に対して鋭角で分岐する分岐管部１０３とを一体形成したものが提案されている（特許第２５３０９４１号公報）。
【０００３】
このような構造の管路分岐用継手を用いて電気・通信線などを需要住宅に配線する場合、図９に示すように、本管１０の所定位置に管路分岐用継手１０１を需要住宅Ｈに関連して取り付けるとともに分岐配管１０４を接続し、本管１０内に布設されている電気・通信線などを管路分岐用継手１０１及び分岐配管１０４を通して各需要住宅Ｈまで配線するという方式が採られている。
【０００４】
【発明が解決しようとする課題】
ところで、図９に示す管路分岐用継手によれば、電気・通信線などを一方向にしか導出することができないことから、次のような問題がある。例えば、電力・通信線用の本管が、幅の狭い道路（例えば幅員４ｍ以下）に布設される場合、道路に１系統の電力・通信線用の本管しか埋設することができず、このため、道路両側の２つの需要住宅に電気・通信線を配線する場合、その各需要住宅ごとに管路分岐用継手を本管に取り付ける必要があって、分岐部の距離（本管の軸方向の距離）がどうしても長くなる。
【０００５】
また、電気・通信用の本管は、ガス・下水管などの上層部に埋設（浅埋設）されることがあり、電気・通信用の本管が浅埋設される場合に、図９に示す管路分岐用継手を用いると、分岐管部が道路上に露出するという不具合が生じる場合がある。
【０００６】
本発明はそのような実情に鑑みてなされたもので、電気・通信線などを本管の１箇所の分岐部から複数の方向に分岐することが可能な管路分岐用継手の提供を目的とする。
【０００７】
【課題を解決するための手段】
本発明の管路分岐用継手は、電気・通信線配管などの管路を構成する本管に取り付けられる分岐用継手であって、本管の分岐管路を設ける部分の外周面に沿う形状に成形されたサドル部と、このサドル部に設けられた複数の分岐口と、その各分岐口にそれぞれ連通した状態で前記サドル部に一体的に設けられた複数本の分岐管部を備え、それら複数本の分岐管部のうち、２本の分岐管部が前記サドルの横方向（略水平方向）にかつ互いに異なる向きに延びていることによって特徴づけられる。
【０００８】
この発明の管路分岐用継手によれば、１つのサドル部に複数本（例えば２本）の分岐管部を設けているので、道路の両側に位置する複数の需要住宅に分岐を行うにあたり、分岐部の距離（本管の軸方向距離）を短くすることができる。
【０００９】
この発明の管路分岐用継手において、サドルの各分岐口をサドル頂部よりも下方位置に設け、サドルを本管に取り付けた状態で、各分岐管部がそれぞれ略水平方向に沿うように構成することが好ましい。このような構成を採用すると、各分岐管部が本管の頂部よりも上方に突き出すことがなくなるので、分岐を行う本管が浅埋設の場合であっても問題なく分岐配管を行うことができる。
【００１０】
本発明の管路分岐用継手は、電気・通信線配管などの管路を構成する本管に取り付けられる分岐用継手であって、本管の分岐管路を設ける部分の外面に沿う形状に成形されたサドル部と、このサドル部に設けられた１つの分岐口と、その分岐口に連通した状態で前記サドル部に一体的に設けられた立上り管部と、この立上り管部から複数の方向に分岐する複数の分岐管部を備え、それら複数本の分岐管部のうち、２本の分岐管部が前記サドルの横方向（略水平方向）にかつ互いに異なる向きに延びていることによって特徴づけられる。
【００１１】
この発明の管路分岐用継手においても、１つのサドル部に複数本（例えば２本）の分岐管部を設けているので、道路の両側に位置する複数の需要住宅に分岐を行うにあたり、分岐部の距離（本管の軸方向距離）を短くすることができる。
【００１２】
【発明の実施の形態】
以下、本発明の実施形態を図面に基づいて説明する。
【００１３】
図１は本発明の実施形態の斜視図である。図２〜図４はそれぞれ本発明の実施形態の正面図、平面図及び側面図である。
【００１４】
この実施形態の管路分岐用継手１は、電気・通信線の管路を構成する本管に取り付けられる合成樹脂製の継手であって、サドル部２と２本の分岐管部３，４によって構成されている。
【００１５】
サドル部２は、本管１０の分岐管路を設ける部分の外周面に沿う形状に成形された鞍状の部材で、側部に２つの分岐口２ａ，２ｂが設けられている。これら分岐口２ａ，２ｂは、サドル部２の頂部よりも下方に位置している。また、分岐口２ａ，２ｂは、サドル部２の長手方向（本管１０の管軸方向）に互いに所定距離（例えば１５０ｍｍ）だけずれた位置に設けられている。
【００１６】
２本の分岐管部３，４は、それぞれ分岐口２ａ，２ｂに連通した状態でサドル部２に一体的に設けられている。２本の分岐管部３，４は、それぞれサドル部２に対して略直交する方向（本管１０の管軸と略直交する方向）にかつ互いに逆向きに延びており、管路分岐用継手１を本管１０に取り付けた状態で、各分岐管部３，４が略水平方向に沿うようになっている。また、各分岐管部３，４の根元部分は、電気・通信線の挿入性を良くするために、アール状に成形されている。
【００１７】
次に、以上の構造の管路分岐用継手１を用いた分岐管の配管方法を図５を参照しながら説明する。
【００１８】
まず、電気・通信線の管路を構成する本管１０に、電気・通信線の引き出し用の開口部（図示せず）を設けておく。この開口部は、サドル部２を図２に示すように本管１０の略上半分を覆うように配置した状態で、そのサドル部２の分岐口２ａ，２ｂに対応する位置に設ける。
【００１９】
次に、本管１０の各開口部とサドル部２の各分岐口２ａ，２ｂとを位置合わせした状態で、サドル部２を本管１０の外周面に固着する。このようにして管路分岐用継手１を本管１０に取り付けると、各分岐管部３，４が本管１０の管軸と略直交する方向で略水平方向に沿うようになる。なお、サドル部２の本管１０への固着方法としては、例えば接着剤を用いた接着あるいは電気融着方式による融着などの方法が挙げられる。
【００２０】
そして、以上の管路分岐用継手１の取り付けが完了した後、その管路分岐用継手１の各分岐管部３，４にそれぞれ配管接続を行い、その各分岐配管５，６をそれぞれ道路Ｒの両側の需要住宅Ｈ１，Ｈ２に導いて接続する。
【００２１】
以上の実施形態によれば、１つのサドル部２に２本の分岐管部３，４を設けているので、道路の両側に位置する２つの需要住宅Ｈ１，Ｈ２への分岐を行うにあたり、分岐部の距離（本管１０の軸方向距離）が短くて済む。
【００２２】
また、サドル部２の分岐口２ａ，２ｂを管軸方向にずれた配置としているので、需要住宅Ｈ１，Ｈ２に分岐する電気・通信線が同じ場所で混在することを避けることができる。さらに、各分岐管部３，４が本管１０の頂部よりも上方に突き出すことがないので、本管１０が浅埋設の場合であっても問題なく分岐配管を施工することができる。
【００２３】
なお、以上の実施形態では、１つのサドル部２に２本の分岐管部３，４を設けているが、本発明はこれに限られることなく、１つのサドル部に３本以上の分岐管部を設けてもよい。
【００２４】
図６〜図８はそれぞれ本発明の他の実施形態の正面図、平面図及び側面図である。
【００２５】
この実施形態の管路分岐用継手１１は、電気・通信線の管路を構成する本管１０に取り付けられる合成樹脂製の継手であって、サドル部１２、立上り管部１３及び２本の分岐管部１４，１５によって構成されている。
【００２６】
サドル部１２は、本管１０の分岐管路を設ける部分の外周面に沿う形状に成形された鞍状の部材で、頂部中央に１つの分岐口１２ａが設けられている。
【００２７】
立上り管部１３は、分岐口１２ａに連通した状態でサドル部１２に一体的に設けられている。立上り管部１３の上部には２本の分岐管部１４，１５が一体形成されている。２本の分岐管部１４，１５は、それぞれサドル部１２に対して略直交する方向（本管１０の管軸と略直交する方向）にかつ互いに逆向きに延びており、管路分岐用継手１１を本管１０に取り付けた状態で、各分岐管部１４，１５が略水平方向に沿うようになっている。
【００２８】
以上の図６〜図８の管路分岐用継手１１についても、前記した実施形態と同様な要領で、電気・通信線の管路を構成する本管１０に取り付けられ、その各分岐管部１４，１５に分岐配管が接続される。
【００２９】
なお、図６〜図８に示す実施形態では、１つのサドル部１２に２本の分岐管部１４，１５を設けているが、本発明はこれに限られることなく、１つのサドル部に３本以上の分岐管部を設けてもよい。
【００３０】
【発明の効果】
以上説明したように、本発明の管路分岐用継手によれば、１つのサドル部に複数本の分岐管部を設けているので、道路の両側に位置する複数の需要住宅に分岐を行うにあたり、分岐部の距離を長くすることなく、分岐管路を配管することができる。
【図面の簡単な説明】
【図１】本発明の実施形態の斜視図である。
【図２】同じく実施形態の正面図である。
【図３】同じく実施形態の平面図である。
【図４】同じく実施形態の側面図である。
【図５】本発明の実施形態の使用状態を模式的に示す図である。
【図６】本発明の他の実施形態の正面図である。
【図７】同じく他の実施形態の平面図である。
【図８】同じく他の実施形態の側面図である。
【図９】従来の管路分岐用継手を使用状態で示す図である。
【符号の説明】
１　管路分岐用継手
２　サドル部
２ａ，２ｂ　分岐口
３，４　分岐管部
１０　本管
１１　管路分岐用継手
１２　サドル部
１２ａ　分岐口
１３　立上り管部
１４，１５　分岐管部
【図１】
2004036641.tif 000003
【図２】
2004036641.tif 000004
【図３】
2004036641.tif 000005
【図４】
2004036641.tif 000006
【図５】
2004036641.tif 000007
【図６】
2004036641.tif 000008
【図７】
2004036641.tif 000009
【図８】
2004036641.tif 000010
【図９】
2004036641.tif 000011